(57)【要約】【課題】高精度な同期捕捉性能を保持しながら、同期捕捉処理に要するデータ処理量及びハードウェア規模を削減すること。【解決手段】遅延プロファイル算出部１０１が、受信信号の同期捕捉の全パスサーチ範囲において１／Ｍ（Ｍは１以上の整数）チップの間隔で遅延プロファイルを算出する。パス位相選択捕捉部１０２が、遅延プロファイルにおける相関値の最大値の位相を算出し、最大相関値の位相に対し１／（２Ｍ）チップ離れた位相を算出し、算出したこれらの位相からパス位相を選択する。【選択図】　　　図１
2004135088.tif 000002
【特許請求の範囲】
【請求項１】
受信信号の同期捕捉の全パスサーチ範囲において、Ｍを１以上の整数とし、１／Ｍチップの間隔で相関演算を行い、遅延プロファイルを算出する遅延プロファイル算出手段と、前記遅延プロファイルにおいて信頼度の高い相関値の位相と当該位相に対し１／（２Ｍ）チップ離れた位相とからパス位相を選択するパス位相選択捕捉手段と、を具備することを特徴とする同期捕捉装置。
【請求項２】
前記パス位相選択捕捉手段は、前記遅延プロファイルの相関値と閾値とを比較し、前記閾値以上である相関値及び当該相関値の位相を算出する第１パス位相算出手段と、前記閾値以上である前記相関値のうちの最大値の位相を算出する最大パス位相算出手段と、前記最大相関値の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備することを特徴とする請求項１記載の同期捕捉装置。
【請求項３】
前記パス位相選択捕捉手段は、前記遅延プロファイルの相関値と第１閾値及び当該第１閾値より大きい第２閾値とを比較し、前記第１閾値及び前記第２閾値以上である相関値の位相を算出する第１パス位相算出手段と、前記第２閾値以上である前記相関値の位相に対して前後１／（２Ｍ）チップ離れた位相を算出する第２パス位相算出手段と、前記第１パス位相算出手段及び前記第２パス位相算出手段で算出した位相からパス位相を決定するパス位相決定手段と、を具備することを特徴とする請求項１記載の同期捕捉装置。
【請求項４】
前記パス位相選択捕捉手段は、前記遅延プロファイルの相関値と閾値とを比較し、前記閾値以上である前記相関値のうちの大きいほうから所定数分の位相を算出する第１パス位相算出手段と、前記所定数分の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備することを特徴とする請求項１記載の同期捕捉装置。
【請求項５】
前記パス位相選択捕捉手段は、前記遅延プロファイルの相関値と閾値とを比較し、前記閾値以上である相関値のうちの大きいほうから使用可能フィンガ数を考慮した分の位相を算出する第１パス位相算出手段と、前記所定数分の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備することを特徴とする請求項１記載の同期捕捉装置。
【請求項６】
前記第２パス位相算出手段は、前記第１パス位相算出手段が算出した位相に対し前後に１／Ｍチップ離れた位相の相関値を比較し、当該相関値が大きい位相方向に前記第１パス位相算出手段が算出した位相に対し１／（２Ｍ）チップ離れた位相を算出することを特徴とする請求項２から請求項５のいずれかに記載の同期捕捉装置。
【請求項７】
受信信号の同期捕捉の全パスサーチ範囲において、Ｍを１以上の整数とし、１／Ｍチップの間隔で遅延プロファイルを算出する遅延プロファイル算出ステップと、前記遅延プロファイルにおいて信頼度の高い相関値の位相と当該位相に対し１／（２Ｍ）チップ離れた位相とからパス位相を選択するパス位相選択捕捉ステップと、を具備することを特徴とする同期捕捉方法。
【請求項８】
コンピュータを、受信信号の同期捕捉の全パスサーチ範囲において、Ｍを１以上の整数とし、１／Ｍチップの間隔で遅延プロファイルを算出する遅延プロファイル算出手段、前記遅延プロファイルにおいて信頼度の高い相関値の位相と当該位相に対し１／（２Ｍ）チップ離れた位相とからパス位相を選択するパス位相選択捕捉手段、として機能させることを特徴とする同期捕捉プログラム。
【発明の詳細な説明】
【０００１】
【発明の属する技術分野】
本発明は、直接拡散符号分割多元接続（ＤＳ−ＣＤＭＡ：Ｄｉｒｅｃｔ　Ｓｐｒｅａｄｉｎｇ−Ｃｏｄｅ　Ｄｉｖｉｓｉｏｎ　Ｍｕｌｔｉｐｌｅ　Ａｃｃｅｓｓ）方式を用いた移動通信システムの受信装置における同期補足装置及び同期捕捉方法に関する。
【０００２】
【従来の技術】
ＣＤＭＡ方式では、送信装置は、ＰＮコード系列（擬似乱数系列）である拡散コードを用いて情報データを拡散変調して送信する。受信装置は、送信装置と同じ拡散コードを用いて逆拡散を行うことで情報データを復調することができる。ただし、逆拡散において受信信号と拡散コードとのタイミングが送信側と正確に同期していないと正しいデータは復調できない。例えば、拡散コード位相が１チップを超えてずれるような場合に、正確なデータ復調は不可能になる。そのため、良好な受信品質を実現するためには、高精度の同期捕捉装置は不可欠である。
【０００３】
従来の同期捕捉装置として、遅延プロファイルを１／Ｎ（Ｎは２以上の整数）チップの間隔で算出することにより高精度の同期捕捉をするものがある（特許文献１参照）。
【０００４】
従来の同期捕捉装置は、逆拡散コードを発生する逆拡散コード発生器と、受信信号と前記逆拡散コードとの相関値を算出する相関器とを有し、拡散コードとの同期を捕捉する相関復調における同期捕捉装置において、Ｎを２以上の整数とし、同期捕捉する全パスサーチ範囲に対し１／Ｎチップの間隔で前記逆拡散コードのチップ位相をずらして前記相関器に供給する移相手段と、各チップ位相での前記相関値を記憶する記憶手段と、前記記憶手段を参照して同期捕捉したチップ位相を選択するチップ位相サーチ手段と、を有する。
【０００５】
前記チップ位相サーチ手段は、前記記憶手段を参照して、前記各チップ位相ごとの相関値のうちの相対的に大きな値にそれぞれ対応する複数のチップ位相を候補として選択し、前記各候補ごとに、当該候補に隣接するチップ位相の相関値を当該候補の相関値に加算し、加算結果が最大となる候補をもって同期捕捉したチップ位相とする。
【０００６】
【特許文献１】
特開平９−２６１１２０号公報（第２頁）
【０００７】
【発明が解決しようとする課題】
しかしながら、従来の同期捕捉装置においては、高精度の同期捕捉性能を実現するためには遅延プロファイルを短い時間間隔で算出する必要があるため、膨大な相関値の算出のデータ処理量及びハードウェアの規模が必要であるという問題がある。
【０００８】
本発明は、かかる点に鑑みてなされたものであり、高精度な同期捕捉性能を保持しながら、同期捕捉処理に要するデータ処理量及びハードウェア規模を削減することができる同期捕捉装置及び同期捕捉方法を提供することを目的とする。
【０００９】
【課題を解決するための手段】
本発明の同期捕捉装置は、受信信号の同期捕捉の全パスサーチ範囲において、Ｍを１以上の整数とし、１／Ｍチップの間隔で相関演算を行い、遅延プロファイルを算出する遅延プロファイル算出手段と、前記遅延プロファイルにおいて信頼度の高い相関値の位相と当該位相に対し１／（２Ｍ）チップ離れた位相とからパス位相を選択するパス位相選択捕捉手段と、を具備する構成を採る。
【００１０】
この構成によれば、１／Ｍチップ間隔で算出した遅延プロファイルにおいて、信頼度の高い相関値の位相とこの位相に対して１／（２Ｍ）チップ離れた位相とからパス位相を選択することにより、相関演算を行っていない位相をパス位相とすることができ、高精度な同期捕捉性能を保持しながら、データ処理量及びハードウェア規模を大幅に削減することができる。
【００１１】
本発明の同期捕捉装置は、前記パス位相選択捕捉手段が、前記遅延プロファイルの相関値と閾値とを比較し、前記閾値以上である相関値及び当該相関値の位相を算出する第１パス位相算出手段と、前記閾値以上である前記相関値のうちの最大値の位相を算出する最大パス位相算出手段と、前記最大相関値の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備する構成を採る。
【００１２】
この構成によれば、１／Ｍチップ間隔で算出した遅延プロファイルにおいて、最大の相関値の位相とこの位相に対して１／（２Ｍ）チップ離れた位相とからパス位相を選択することにより、相関演算を行っていない位相をパス位相とすることができ、高精度な同期捕捉性能を保持しながら、データ処理量及びハードウェア規模を大幅に削減することができる。
【００１３】
本発明の同期捕捉装置は、前記パス位相選択捕捉手段が、前記遅延プロファイルの相関値と第１閾値及び当該第１閾値より大きい第２閾値とを比較し、前記第１閾値及び前記第２閾値以上である相関値の位相を算出する第１パス位相算出手段と、前記第２閾値以上である前記相関値の位相に対して前後１／（２Ｍ）チップ離れた位相を算出する第２パス位相算出手段と、前記第１パス位相算出手段及び前記第２パス位相算出手段で算出した位相からパス位相を決定するパス位相決定手段と、を具備する構成を採る。
【００１４】
この構成によれば、第２閾値以上の相関値であれば信頼度が高いとみなし、第２パス位相算出手段において、第２閾値以上の相関値１つに限らず、複数の相関値の位相それぞれに対して前後１／（２Ｍ）チップ離れた位相を算出することにより、この算出した位相において最も高い相関値となる位相がパス位相となる可能性を高くすることができる。
【００１５】
本発明の同期捕捉装置は、前記パス位相選択捕捉手段が、前記遅延プロファイルの相関値と閾値とを比較し、前記閾値以上である前記相関値のうちの大きいほうから所定数分の位相を算出する第１パス位相算出手段と、前記所定数分の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備する構成を採る。
【００１６】
この構成によれば、第１パス位相算出手段が相関値の大きい方から所定数分の位相を算出することから、信頼度の高い相関値の数を予め所定数として指定することができる。
【００１７】
本発明の同期捕捉装置は、前記パス位相選択捕捉手段が、前記遅延プロファイルの相関値と閾値とを比較し、前記閾値以上である相関値のうちの大きいほうから使用可能フィンガ数を考慮した分の位相を算出する第１パス位相算出手段と、前記所定数分の位相に対し前後に１／（２Ｍ）チップ離れた位相を算出する第２パス位相算出手段と、前記第１パス位相算出手段及び前記第２パス位相算出手段で算出した位相からパス位相を決定するパス位相決定手段と、を具備する構成を採る。
【００１８】
この構成によれば、相関値の大きいほうから使用可能フィンガ数を考慮した分の位相を算出することから、フィンガリソースを有効に用いることができる。
【００１９】
本発明の同期捕捉装置は、前記第２パス位相算出手段が、前記第１パス位相算出手段が算出した位相に対し前後に１／Ｍチップ離れた位相の相関値を比較し、当該相関値が大きい位相方向に前記第１パス位相算出手段が算出した位相に対し１／（２Ｍ）チップ離れた位相を算出する構成を採る。
【００２０】
この構成によれば、前記第１パス位相算出手段が算出した位相に対し前後に１／Ｍチップ離れた位相の相関値を比較した結果、相関値が大きい位相方向に１／（２Ｍ）チップ離れた位相に最大相関値が位置する可能性が高く、フィンガリソースを有効に用いることができると共に、さらに高精度な同期捕捉性能を実現する可能性を高めることができる。
【００２１】
本発明の同期捕捉方法は、受信信号の同期捕捉の全パスサーチ範囲において、Ｍを１以上の整数とし、１／Ｍチップの間隔で遅延プロファイルを算出する遅延プロファイル算出ステップと、前記遅延プロファイルにおいて信頼度の高い相関値の位相と当該位相に対し１／（２Ｍ）チップ離れた位相とからパス位相を選択するパス位相選択捕捉ステップと、を具備するようにした。
【００２２】
この方法によれば、１／Ｍチップ間隔で算出した遅延プロファイルにおいて、信頼度の高い相関値の位相とこの位相に対して１／（２Ｍ）チップ離れた位相とからパス位相を選択することにより、相関演算を行っていない位相をパス位相とすることができ、高精度な同期捕捉性能を保持しながら、データ処理量及びハードウェア規模を大幅に削減することができる。
【００２３】
本発明の同期捕捉プログラムは、コンピュータを、受信信号の同期捕捉の全パスサーチ範囲において、Ｍを１以上の整数とし、１／Ｍチップの間隔で遅延プロファイルを算出する遅延プロファイル算出手段、前記遅延プロファイルにおいて信頼度の高い相関値の位相と当該位相に対し１／（２Ｍ）チップ離れた位相とからパス位相を選択するパス位相選択捕捉手段、として機能させるようにした。
【００２４】
このプログラムによれば、１／Ｍチップ間隔で算出した遅延プロファイルにおいて、信頼度の高い相関値の位相とこの位相に対して１／（２Ｍ）チップ離れた位相とからパス位相を選択することにより、相関演算を行っていない位相をパス位相とすることができ、高精度な同期捕捉性能を保持しながら、データ処理量及びハードウェア規模を大幅に削減することができる。
【００２５】
【発明の実施の形態】
本発明の骨子は、１／Ｍ（Ｍは１以上の整数）チップの間隔で相関演算を行い、算出された遅延プロファイルにおいて、信頼度の高い相関値の位相と当該位相に対して１／（２Ｍ）チップ離れた位相とからパス位相を決定することである。これにより、相関演算を行っていない位相をパス位相とすることができ、高精度な同期捕捉性能を保持しながら、データ処理量及びハードウェア規模を大幅に削減することができる。
【００２６】
以下、本発明の実施の形態について、図面を参照して詳細に説明する。
【００２７】
（実施の形態１）
図１は、本発明の実施の形態１に係る同期捕捉装置の構成を示すブロック図である。この図において、遅延プロファイル算出部１０１は、受信信号を受けて、受信信号の同期捕捉の全パスサーチ範囲において１／Ｍ（Ｍは１以上の整数）チップの間隔で遅延プロファイルを算出する。すなわち、遅延プロファイル算出部１０１は、１／Ｍチップ間隔で拡散コードの位相をずらして受信信号と拡散コードとの相関値を全パスサーチ範囲にわたって算出する。
【００２８】
パス位相選択捕捉部１０２は、遅延プロファイル算出部１０１からの遅延プロファイルにおいて、最大の相関値の位相（最大相関値位相）を算出し、最大相関値位相に対し１／（２Ｍ）チップ離れた位相と最大相関値位相とからパス位相を選択する。
【００２９】
復調部１０３は、パス位相決定部１０２５からのパス位相に基づいて同期追従を行い、受信信号を復調する。復調した受信信号は復調データとして生成される。
【００３０】
次に、パス位相選択捕捉部１０２について、図１及び図２を参照して詳細に説明する。閾値設定部１０２１は、遅延プロファイル算出部１０１で算出された遅延プロファイル上の相関値を比較するための閾値を設定し、第１パス位相算出部１０２２に出力する。第１パス位相算出部１０２２は、遅延プロファイル算出部１０１からの遅延プロファイルの相関値と閾値設定部１０２１からの閾値とを比較し、閾値以上である相関値の位相を算出し、パス位相決定部１０２５に出力する。
【００３１】
最大パス位相算出部１０２３は、閾値以上である相関値のうち、最大値の位相である最大相関値位相を算出し、第２パス位相算出部１０２４に出力する。第２パス位相算出部１０２４は、最大相関値位相に対して前後１／（２Ｍ）チップ離れた位相を算出し、パス位相決定部１０２５に出力する。パス位相決定部１０２５は、第１パス位相算出部１０２２及び第２パス位相算出部１０２４で算出した位相から、フィンガ数等を考慮してパス位相を決定し、決定したパス位相を復調部１０３に出力する。
【００３２】
次に、遅延プロファイル算出部１０１及びパス位相選択捕捉部１０２の動作の具体例について、図１及び図２を参照して詳細に説明する。
【００３３】
遅延プロファイル算出部１０１は、図２に示すように、１／Ｍチップの間隔（遅延プロファイル算出区間）の遅延プロファイルを算出する。閾値設定部１０２１は、閾値Ｔｔｈを設定して第１パス位相算出部１０２２に出力する。
【００３４】
第１パス位相算出部１０２２は、閾値Ｔｔｈと遅延プロファイルの相関値を比較し、閾値Ｔｔｈ以上である相関値ＳＫ１〜ＳＫ４の位相Ｆ１〜Ｆ４を算出し、パス位相決定部１０２５に出力する。
【００３５】
最大パス位相算出部１０２３では、相関値ＳＫ１〜ＳＫ４の中で最大となる最大相関値ＳＫ１の位相Ｆ１を算出し、第２パス位相算出部１０２４に出力する。第２パス位相算出部１０２４では、最大相関値位相Ｆ１に対して前後１／（２Ｍ）チップ離れた位相Ｆ５、Ｆ６を算出する。算出した位相Ｆ５、Ｆ６はパス位相決定部１０２５に出力される。
【００３６】
パス位相決定部１０２５は、第１パス位相算出部１０２２からの位相Ｆ１〜Ｆ４と、第２パス位相算出部１０２４からの位相Ｆ５、Ｆ６とから、フィンガ数等を考慮してパス位相を決定し、復調部１０３に出力する。
【００３７】
このように、パス位相選択捕捉部１０２においては、第１パス位相算出部１０２２が１／Ｍチップ間隔（精度）の遅延プロファイル算出区間で閾値以上の相関値の位相を算出し、第２パス位相算出部１０２４が最大相関値位相Ｆ１に対し前後に１／（２Ｍ）チップ離れた位相を算出するため、遅延プロファイル未算出区間のパス位相を算出することができる。これにより、遅延プロファイルを算出していない区間に相関値のピークがある場合におけるパス位相も検出することができる。
【００３８】
本発明の実施の形態１によれば、１／Ｍチップ間隔で算出した遅延プロファイルにおいて、最大の相関値の位相とこの位相に対して１／（２Ｍ）チップ離れた位相とからパス位相を選択することにより、相関演算を行っていない位相をパス位相とすることができ、従来の同期捕捉装置と同等の高精度な同期捕捉性能を保持しながら、同期捕捉のためのデータ処理量及びハードウェア規模を半分に削減することができる。
【００３９】
（実施の形態２）
次に、本発明の実施の形態２について、図面を参照して詳細に説明する。図３は、本発明の実施の形態２に係る同期捕捉装置の構成を示すブロック図である。この本発明の実施の形態２においては、図１の実施の形態１と同じ構成要素には同じ参照符号を付して、その説明を省略する。
【００４０】
第１閾値設定部３０２１は、第１閾値を設定して第１パス位相算出部３０２３に出力する。第２閾値設定部３０２２は、第１閾値より高い第２閾値を設定して第１パス位相算出部３０２３に出力する。
【００４１】
第１パス位相算出部３０２３は、第１閾値設定部３０２１からの第１閾値と遅延プロファイル算出部１０１からの遅延プロファイルの相関値とを比較し、第１閾値以上である相関値の位相を算出してパス位相決定部３０２５に出力する。また、第１パス位相算出部３０２３は、第２閾値設定部３０２２からの第２閾値と遅延プロファイル算出部１０１からの遅延プロファイルの相関値を比較し、第２閾値以上である相関値の位相を算出し、第２パス位相算出部３０２４に出力する。
【００４２】
第２パス位相算出部３０２４は、第２閾値以上である相関値の位相に対して前後１／（２Ｍ）チップ離れた位相を算出する。パス位相決定部３０２５は、第１パス位相算出部３０２３からの位相と第２パス位相算出部３０２４からの位相とから、パス位相を決定して復調部１０３に出力する。
【００４３】
次に、遅延プロファイル算出部１０１及びパス位相選択捕捉部３０２の動作の具体例について、図３及び図４を参照して詳細に説明する。
【００４４】
遅延プロファイル算出部１０１は、図４に示すように、１／Ｍチップの間隔（遅延プロファイル算出区間）の遅延プロファイルを算出し、第１パス位相算出部３０２３に出力する。第１閾値設定部３０２１は、閾値Ｔｔｈ１を設定して第１パス位相算出部３０２３に出力する。第２閾値設定部３０２２は、閾値Ｔｔｈ２を設定して第１パス位相算出部３０２３に出力する。
【００４５】
第１パス位相算出部３０２３は、閾値Ｔｔｈ１と遅延プロファイルの相関値を比較し、閾値Ｔｔｈ１以上である相関値ＳＫ１１〜ＳＫ１４の位相Ｆ１１〜Ｆ１４を算出した後、パス位相決定部３０２５に出力する。また、第１パス位相算出部３０２３は、閾値Ｔｔｈ２と遅延プロファイルの相関値を比較し、閾値Ｔｔｈ２以上である相関値ＳＫ１１、ＳＫ１２の位相Ｆ１１、Ｆ１２を算出した後、第２パス位相算出部に出力する。
【００４６】
第２パス位相算出部３０２４は、第１パス位相算出部３０２３からの第２閾値以上である相関値ＳＫ１１、ＳＫ１２の位相Ｆ１１、Ｆ１２に対して前後１／（２Ｍ）チップ離れた位相Ｆ１５〜Ｆ１８を算出する。これにより、この算出した位相において最も高い相関値となる位相がパス位相となる可能性を高くすることができる。算出した位相Ｆ１５〜Ｆ１８は、パス位相決定部３０２５に出力される。
【００４７】
パス位相決定部３０２５は、第１パス位相算出部３０２３からの位相Ｆ１１〜Ｆ１４と、第２パス位相算出部３０２４からの位相Ｆ１５〜Ｆ１８とから、フィンガ数等を考慮してパス位相を決定し、復調部１０３に出力する。
【００４８】
このように、パス位相選択捕捉部３０２においては、第１パス位相算出部３０２３が１／Ｍチップ間隔の遅延プロファイル算出区間で第１閾値以上の相関値の位相を算出し、第２パス位相算出部３０２４が第２閾値以上である相関値の位相に対して前後１／（２Ｍ）チップ離れた位相を算出するため、遅延プロファイル未算出区間のパス位相の相関値を算出することができる。これにより、遅延プロファイルを算出していない区間に相関値のピークがある場合におけるパス位相も検出することができる。
【００４９】
本発明の実施の形態２によれば、１／Ｍチップ間隔の遅延プロファイルに基づいて１／（２Ｍ）チップの間隔で同期捕捉を行うことができるため、従来の同期捕捉装置の半分のデータ処理量で結果的に１／（２Ｍ）チップ精度の同期捕捉性能を実現することになるから、従来の同期捕捉装置と同等の高精度な同期捕捉性能を保持しながら、同期捕捉のためのデータ処理量及びハードウェア規模を半分に削減することができる。
【００５０】
（実施の形態３）
次に、本発明の実施の形態３について、図面を参照して詳細に説明する。図５は、本発明の実施の形態３に係る同期捕捉装置の構成を示すブロック図である。。この本発明の実施の形態３においては、図１の実施の形態１と同じ構成要素には同じ参照符号を付して、その説明を省略する。
【００５１】
閾値設定部１０２１は、遅延プロファイル算出部１０１で算出された遅延プロファイル上の相関値を比較するための閾値を設定し、第１パス位相算出部５０２２に出力する。選択パス数設定部５０２１は、閾値設定部１０２１で設定された閾値を越える相関値のうち、大きい方からいくつ選択するか選択パス数を設定し、第１パス位相算出部５０２２に出力する。
【００５２】
第１パス位相算出部５０２２は、遅延プロファイル算出部１０１からの遅延プロファイル、閾値設定部１０２１からの閾値及び選択パス数設定部５０２１からの選択パス数を受けて、遅延プロファイルの相関値と閾値とを比較し、閾値以上である相関値のうち、大きいほうから選択パス数分の位相を算出する。閾値以上の相関値の位相は、パス位相決定部５０２４に出力される。また、選択されたパス数分の位相は、第２パス位相算出部５０２３に出力される。
【００５３】
第２パス位相算出部５０２３は、第１パス位相算出部で選択されたパス数分の位相に対して前後１／（２Ｍ）チップ離れた位相を算出し、算出した位相をパス位相決定部５０２４に出力する。
【００５４】
パス位相決定部５０２４は、第１パス位相算出部５０２２からの位相と、第２パス位相算出部５０２３からの位相とから、パス位相を決定して復調部１０３に出力する。
【００５５】
次に、遅延プロファイル算出部１０１及びパス位相選択捕捉部５０２の動作の具体例について、図５及び図６を参照して詳細に説明する。
【００５６】
遅延プロファイル算出部１０１は、図６に示すように、１／Ｍチップの間隔（遅延プロファイル算出区間）の遅延プロファイルを算出し、第１パス位相算出部５０２２に出力する。閾値設定部１０２１は、閾値Ｔｔｈを設定して第１パス位相算出部５０２２に出力する。
【００５７】
選択パス数設定部５０２１は、遅延プロファイルの相関値で上位いくつの相関値の位相を選択するかを設定し、第１パス位相算出部５０２２に出力する。このように、信頼度の高い相関値の数を予め所定数として指定することができる。ここでは、選択パス数を２とする。
【００５８】
第１パス位相算出部５０２２は、閾値Ｔｔｈと遅延プロファイルの相関値を比較し、閾値Ｔｔｈ以上である相関値ＳＫ６１〜ＳＫ６４の位相Ｆ６１〜Ｆ６４を算出する。算出された位相Ｆ６１〜Ｆ６４はパス位相決定部５０２４に出力される。
【００５９】
また、第１パス位相算出部５０２２は、閾値Ｔｔｈ以上である相関値ＳＫ６１〜ＳＫ６４のうちの大きいほうから選択パス数分（この場合には２である）の相関値ＳＫ６１、ＳＫ６２の位相Ｆ６１、Ｆ６２を算出する。算出された位相Ｆ６１、Ｆ６２は、第２パス位相算出部５０２３に出力される。
【００６０】
第２パス位相算出部５０２３は、選択パス数分の位相Ｆ６１、Ｆ６２に対して前後１／（２Ｍ）チップ離れた位相Ｆ６５〜Ｆ６８を算出し、パス位相決定部５０２４に出力する。
【００６１】
パス位相決定部５０２４は、第１パス位相算出部５０２２から出力された位相Ｆ６１〜Ｆ６４と、第２パス位相算出部５０２３から出力されたパス位相Ｆ６５〜６８とからパス位相を決定して復調部１０３に出力する。
【００６２】
このように、パス位相選択捕捉部５０２においては、１／Ｍチップの間隔（遅延プロファイル算出区間）の遅延プロファイルに基づいて選択パス数分の位相に対して前後１／（２Ｍ）チップ離れた位相を算出する。これにより、遅延プロファイルを算出していない区間に相関値のピークがある場合におけるパス位相も検出することができる。
【００６３】
本発明の実施の形態３によれば、１／Ｍチップ間隔の遅延プロファイルに基づいて１／（２Ｍ）チップの間隔で同期捕捉を行うことができるため、従来の同期捕捉装置の半分のデータ処理量で結果的に１／（２Ｍ）チップ精度の同期捕捉性能を実現することになるから、従来の同期捕捉装置と同等の高精度な同期捕捉性能を保持しながら、同期捕捉のためのデータ処理量及びハードウェア規模を半分に削減することができる。
【００６４】
（実施の形態４）
次に、本発明の実施の形態４について、図面を参照して詳細に説明する。図７は、本発明の実施の形態４に係る同期捕捉装置の構成を示すブロック図である。この本発明の実施の形態４においては、図１の実施の形態１と同じ構成要素には同じ参照符号を付して、その説明を省略する。
【００６５】
閾値設定部１０２１は、閾値を設定して第１パス位相算出部７０２２に出力する。使用可能フィンガ数設定部７０２１は、使用可能なフィンガ数を設定して第１パス位相算出部７０２２に出力する。
【００６６】
第１パス位相算出部７０２２は、遅延プロファイル算出部１０１からの遅延プロファイル、閾値設定部１０２１からの閾値を受けて、遅延プロファイルの相関値と閾値とを比較し、前記閾値以上である相関値の位相を算出し、パス位相決定部７０２４に出力する。また、使用可能フィンガ数設定部７０２１からの使用可能フィンガ数を受けて、閾値以上である相関値のうちの大きいほうから使用可能フィンガ数に基づいた位相を選択し、第２パス位相算出部７０２３に出力する。
【００６７】
第１パス位相算出部７０２２は、遅延プロファイルの相関値で大きい方からいくつ選択するかを決定する時に、第２パス位相算出部７０２３では選択された相関値の数につきさらに２つのフィンガ数を必要とすることを考慮して、第２パス位相算出部７０２３に出力する上位相関値の位相の数を決定する。
【００６８】
第２パス位相算出部７０２３は、第１パス位相算出部７０２２から出力された位相に対して前後１／（２Ｍ）チップ離れた位相を算出し、パス位相決定部７０２４に出力する。
【００６９】
パス位相決定部７０２４は、第１パス位相算出部７０２２からの位相と第２パス位相算出部７０２３からの位相とをパス位相として決定して復調部１０３に出力する。
【００７０】
次に、遅延プロファイル算出部１０１及びパス位相選択捕捉部７０２の動作の具体例について、図７及び図８を参照して詳細に説明する。
【００７１】
遅延プロファイル算出部１０１は、図８に示すように、１／Ｍチップの間隔（遅延プロファイル算出区間）の遅延プロファイルを算出する。閾値設定部１０２１は、閾値Ｔｔｈを設定して第１パス位相算出部７０２２に出力する。
【００７２】
第１パス位相算出部７０２２は、閾値Ｔｔｈと遅延プロファイルの相関値を比較し、閾値Ｔｔｈ以上である相関値ＳＫ８１〜ＳＫ８４の位相Ｆ８１〜Ｆ８４を算出する。また、第１パス位相算出部７０２２は、閾値Ｔｔｈ以上である相関値ＳＫ８１〜ＳＫ８４のうちの大きいほうから使用可能フィンガ数（この場合には８である）を考慮して相関値ＳＫ８１、ＳＫ８２の位相Ｆ８１、Ｆ８２を第２パス位相算出部７０２３に出力する。
【００７３】
第２パス位相算出部７０２３は、位相Ｆ８１、Ｆ８２に対して前後１／（２Ｍ）チップ離れた位相Ｆ８５〜Ｆ８８を算出し、パス位相決定部７０２４に出力する。
【００７４】
パス位相決定部７０２４は、第１パス位相算出部７０２２からの位相Ｆ８１〜Ｆ８４と第２パス位相算出部７０２３からの位相Ｆ８５〜Ｆ８８とをパス位相として決定して復調部１０３に出力する。
【００７５】
このように、パス位相選択捕捉部７０２においては、１／Ｍチップ間隔（遅延プロファイル算出区間）の遅延プロファイルに基づいて第１パス位相算出部７０２２で選択された上位の相関値の位相に対して前後１／（２Ｍ）チップ離れた位相を算出するため、遅延プロファイルを算出していない区間に相関値のピークがある場合におけるパス位相も検出することができる。また、パス位相選択捕捉部５０２においては、フィンガリソースを有効に使うことができる。
【００７６】
本発明の実施の形態４によれば、１／Ｍチップ間隔の遅延プロファイルに基づいて１／（２Ｍ）チップの間隔で同期捕捉を行うことができるため、従来の同期捕捉装置の半分のデータ処理量で結果的に１／（２Ｍ）チップ精度の同期捕捉性能を実現することになるから、従来の同期捕捉装置と同等の高精度な同期捕捉性能を保持しながら、同期捕捉のためのデータ処理量及びハードウェア規模を半分に削減することができる。
【００７７】
（実施の形態５）
次に、本発明の実施の形態５について、図面を参照して詳細に説明する。図９は、本発明の実施の形態５に係る同期捕捉装置の構成を示すブロック図である。この本発明の実施の形態５においては、図１の実施の形態１と同じ構成要素には同じ参照符号を付して、その説明を省略する。
【００７８】
第１パス位相算出部１０２２は、遅延プロファイル算出部１０１からの遅延プロファイルの相関値と閾値設定部１０２１からの閾値とを比較し、閾値以上である相関値の位相を算出し、パス位相決定部９０２２に出力する。最大パス位相算出部１０２３は、閾値以上である相関値のうち、最大値の位相を算出し、前後位相相関値比較部９０２３に出力する。
【００７９】
前後位相相関値比較部９０２３は、最大パス位相算出部１０２３で算出された最大相関値の位相に対して前後１／Ｍチップ離れた位相における相関値で大小比較し、比較結果を未算出区間位相算出部９０２４に出力する。
【００８０】
未算出区間位相算出部９０２４は、前後位相相関値比較部９０２３で比較した相関値が大きい位相方向に最大相関値位相に対して１／（２Ｍ）チップずらした位相を算出し、パス位相決定部９０２２に出力する。
【００８１】
パス位相決定部９０２２は、第１パス位相算出部１０２２からの位相と未算出区間位相算出部９０２４からの位相とから、パス位相を決定して復調部１０３に出力する。
【００８２】
次に、遅延プロファイル算出部１０１及びパス位相選択捕捉部９０２の動作の具体例について、図９及び図１０を参照して詳細に説明する。
【００８３】
遅延プロファイル算出部１０１は、図１０に示すように、１／Ｍチップの間隔（遅延プロファイル算出区間）の遅延プロファイルを算出する。閾値設定部１０２１は、閾値Ｔｔｈを設定して第１パス位相算出部１０２２に出力する。
【００８４】
第１パス位相算出部１０２２は、閾値Ｔｔｈと遅延プロファイルの相関値を比較し、閾値Ｔｔｈ以上である相関値ＳＫ１０１〜ＳＫ１０４の位相Ｆ１０１〜Ｆ１０４を算出し、パス位相決定部９０２２に出力する。
【００８５】
最大パス位相算出部１０２３は、相関値ＳＫ１０１〜ＳＫ１０４の中で最大となる最大相関値ＳＫ１０１の位相Ｆ１０１を算出する。前後位相相関値比較部９０２３は、第１パス位相算出部１０２３で算出された位相Ｆ１０１に対して前後に１／Ｍチップ離れている位相Ｆ１０５、Ｆ１０６における相関値ＳＫ１０５、ＳＫ１０６を大小比較し、比較結果を未算出区間位相算出部９０２４に出力する。
【００８６】
未算出区間位相算出部９０２４は、前後位相相関値比較部９０２３で比較した相関値が大きい位相方向（相関値ＳＫ１０６の方向）に最大相関値位相に対して１／（２Ｍ）チップずらした位相Ｆ１０５を算出する。これは、位相Ｆ１０５に最大相関値を越える相関値が位置する可能性が高いからである。また、このように、最大相関値位相に対して一方に１／（２Ｍ）チップずらした位相を算出することで、フィンガリソースを有効に用いることができる。
【００８７】
パス位相決定部９０２２は、第１パス位相算出部１０２２からの位相Ｆ１０１〜Ｆ１０４と未算出区間位相算出部９０２４からの位相Ｆ１０７とをパス位相として決定して復調部１０３に出力する。
【００８８】
このように、パス位相選択捕捉部９０２においては、第１パス位相算出部１０２２が１／Ｍチップ間隔（精度）の遅延プロファイルから閾値以上の相関値の位相を算出し、第２パス位相算出部９０２１が最大相関値位相Ｆ１０１に対して前後１／（２Ｍ）チップ離れた位相を算出するため、遅延プロファイルを算出していない区間に相関値のピークがある場合におけるパス位相も検出することができる。
【００８９】
本発明の実施の形態５によれば、１／Ｍチップ間隔の遅延プロファイルに基づいて１／（２Ｍ）チップの間隔で同期捕捉を行うことができるため、従来の同期捕捉装置の半分のデータ処理量で結果的に１／（２Ｍ）チップ精度の同期捕捉性能を実現することになるから、さらに高精度な同期捕捉性能を実現する可能性を高めることができる共に、同期捕捉のためのデータ処理量及びハードウェア規模を半分に削減することができる。
【００９０】
なお、本発明は、前記同期捕捉装置の動作のステップを有する同期捕捉方法及びこの同期捕捉方法を実施する同期捕捉プログラムを含むものである。また、本発明は、移動局装置、基地局装置又は移動通信システムなどに適用することができる。
【００９１】
【発明の効果】
以上説明したように、本発明によれば、１／Ｍ（Ｍは１以上の整数）チップの間隔で相関演算を行い、算出された遅延プロファイルにおいて、信頼度の高い相関値の位相と当該位相に対して１／（２Ｍ）チップ離れた位相とからパス位相を決定することにより、相関演算を行っていない位相をパス位相とすることができ、高精度な同期捕捉性能を保持しながら、データ処理量及びハードウェア規模を大幅に削減することができる。
【図面の簡単な説明】
【図１】本発明の実施の形態１に係る同期捕捉装置の構成を示すブロック図
【図２】本発明の実施の形態１に係る同期捕捉装置の動作を説明するための図
【図３】本発明の実施の形態２に係る同期捕捉装置の構成を示すブロック図
【図４】本発明の実施の形態２に係る同期捕捉装置の動作を説明するための図
【図５】本発明の実施の形態３に係る同期捕捉装置の構成を示すブロック図
【図６】本発明の実施の形態３に係る同期捕捉装置の動作を説明するための図
【図７】本発明の実施の形態４に係る同期捕捉装置の構成を示すブロック図
【図８】本発明の実施の形態４に係る同期捕捉装置の動作を説明するための図
【図９】本発明の実施の形態５に係る同期捕捉装置の構成を示すブロック図
【図１０】本発明の実施の形態５に係る同期捕捉装置の動作を説明するための図
【符号の説明】
１００、３００、５００、７００、９００　同期捕捉装置
１０１　遅延プロファイル算出部
１０２、３０２、５０２、７０２、９０２　パス位相選択捕捉部
１０３　復調部
１０２１　閾値設定部
１０２２、３０２３、５０２２、７０２２　第１パス位相算出部
１０２３　最大パス位相算出部
１０２４、３０２４、５０２３、７０２３、９０２１　第２パス位相算出部
１０２５、３０２５、５０２４、７０２４、９０２２　パス位相決定部
３０２１　第１閾値設定部
３０２２　第２閾値設定部
５０２１　選択パス数設定部
７０２１　使用可能フィンガ数設定部
９０２３　前後位相相関値比較部
９０２４　未算出区間位相算出部
【図１】
2004135088.tif 000003
【図２】
2004135088.tif 000004
【図３】
2004135088.tif 000005
【図４】
2004135088.tif 000006
【図５】
2004135088.tif 000007
【図６】
2004135088.tif 000008
【図７】
2004135088.tif 000009
【図８】
2004135088.tif 000010
【図９】
2004135088.tif 000011
【図１０】
2004135088.tif 000012